(57)【要約】      （修正有）【課題】接写用照明に適した複数の照明モードの切り替えを、安価で光学特性に優れた方法で行う。【解決手段】接写用照明として、リング状発光モードと、リングの一部を発光するモードを設け、この切り替えを光学系によって行う。光源４，５と、該光源からの射出光を導く少なくとも第１と第２の光学部材２，３によって構成され、第１の光学部材は、撮影レンズ鏡筒の先端周囲にリング状の発光面を形成すると共に、光軸方向の肉厚が場所によって異なるように構成され、第２の光学部材は、第１の発光部の射出面と反対側に位置し、第１の光学部材の肉薄部に配置される。【選択図】図３
2012090218.tif 000002
【特許請求の範囲】
【請求項１】
光源と、該光源からの射出光を導く少なくとも第１と第２の光学部材によって構成され、
第１の光学部材は、撮影レンズ鏡筒の先端周囲にリング状の発光面を形成すると共に、光軸方向の肉厚が場所によって異なるように構成され、第２の光学部材は、第１の発光部の射出面と反対側に位置し、第１の光学部材の肉薄部に配置されたことを特徴とする照明装置。
【請求項２】
上記照明装置は、リング状発光部の全周を発光させる第１の発光状態と、リング状発光部の少なくとも一部分の強度分布を変化させた第２の発光状態とを切替え可能なことを特徴とする請求項１に記載の照明装置。
【請求項３】
上記照明装置の発光状態の切替えは、光源からの射出光を第１の光学系に入射させるか、第２の入射面に入射させるかで切り替えたことを特徴とする請求項２に記載の照明装置。
【請求項４】
上記照明装置の発光状態の切替えは、第１の光学部材と第２の光学部材の相対移動によって、光路を一部切り替えたことにより行わせたことを特徴とする請求項２に記載の照明装置。
【請求項５】
上記第２の光学部材は、第１の発光部より短く、第１の光学部材の一部を介して発光させるようにしたことを特徴とする請求項１に記載の照明装置。
【請求項６】
上記照明装置は、撮影レンズ鏡筒に対して取り付け可能であることを特徴とする請求項１に記載の照明装置。
【発明の詳細な説明】
【技術分野】
【０００１】
本発明は、ビデオカメラやデジタルスチルカメラ等の撮影機器、携帯電話等の電子機器に用いられる発光装置に関する。
【背景技術】
【０００２】
ビデオカメラやデジタルスチルカメラ等の撮影機器には、撮影レンズから極めて近い至近距離の被写体を撮影が可能な機能（マクロ撮影機能）を持つものがある。
【０００３】
このようなマクロ撮影において、カメラ上部等に設けられた一般的な照明装置（発光装置）をそのまま用いても、レンズ鏡筒によって照明光の一部が遮られて必要な照射領域全体を均一に照明することができなかったり、被写体の片側に強い影ができた不自然な画像しか撮影できなかったりするといった不都合がある。
【０００４】
このため、レンズ鏡筒の先端周囲にリング状の光射出部や複数の光射出部を配置することによって、背景の影を目立ちにくくさせ均一な照明ができる照明装置が提案されている（特許文献１，２参照）。
【０００５】
一方、上記構成によるリング状照明装置を用いても、必ずしも撮影者の意図するような照明にならない場合があった。
【０００６】
例えば、オークションに出品する目的でフィギュア等の小物を撮影する場合、上記リング状の発光部を均一に発光させて使用すると、被写体の背後に全周に渡って縁取りのような薄い影が生じ違和感のある写真になってしまうことがあった。
【０００７】
このような場合には、照明の方向をある程度限定し被写体の影を意図的に出すようにすることで立体感を持たせることができ、自然な陰影を持った写真にすることができる。
【０００８】
この照明の方向を限定する方法としては、リング状発光部の一部を選択的に発光させる方法や部分的に明るさを変える方法が有効である。
【０００９】
このようにレンズ鏡筒の周辺に配置した複数の発光部を部分的に発光させる提案としては、リング状の発光部を複数のＬＥＤを用いて構成し、一斉発光パターンか選択発光パターンかを切り替えて発光させるものが提案されている（特許文献３参照）。また、複数の発光部に対し、その前面に配置した減光板の位置の切り替えることによって発光量の割合を変える提案がある（特許文献４参照）。
【先行技術文献】
【特許文献】
【００１０】
【特許文献１】特開２００４−２３４１２号公報
【特許文献２】特開２００６−２５９３７９号公報
【特許文献３】特開２００６−１８４４５０号公報
【特許文献４】特開２００１−０６６６７４号公報
【発明の概要】
【発明が解決しようとする課題】
【００１１】
しかしながら、従来提案されているような複数のＬＥＤを用いてリング状の発光部を構成する方法では多くのＬＥＤを必要とし、また、この発光の制御方法も複雑となることから、照明系の構成が極めて高価なものになってしまっていた。
【００１２】
また、複数のＬＥＤを使用した場合には、均一な色の照明をすることも困難であった。すなわち、個々のＬＥＤの色温度は必ずしも一致しておらず、複数の光源を使用することによって照射面上で色ムラが生じてしまうという課題が存在した。
【００１３】
一方、発光部の前面に減光板を配置し各発光部の発光量を変える方法は、発光量を切り替える機構が複雑化し、装置全体が大型化してしまうという問題があった。また、外部から容易に触れることができ、意図しない不用意な接触により想定外の明るさ分布を持った照明になってしまうという可能性もあった。
【００１４】
本発明の課題は、リング状発光と部分発光を容易に切り替えることが可能であると共に、光学系を小型化し装置内に効率良く配置可能な照明装置を提案することにある。
【課題を解決するための手段】
【００１５】
上記問題を解決するために、本発明は、
光源と、該光源からの射出光を導く少なくとも第１と第２の光学部材によって構成され、
第１の光学部材は、撮影レンズ鏡筒の先端周囲にリング状の発光面を形成すると共に、光軸方向の肉厚が場所によって異なるように構成され、第２の光学部材は、第１の発光部の射出面と反対側に位置し、第１の光学部材の肉薄部に配置された
ことを特徴とする。
【発明の効果】
【００１６】
本発明は、限られた狭いスペースの中でリング状発光部の全周発光と部分発光とを容易に切り替えることができるという効果を奏する。
【図面の簡単な説明】
【００１７】
【図１】本発明の実施例１に係わる発光装置を装着した撮像装置の斜視図である。
【図２】本発明の実施例１に係わる発光装置を装着した撮像装置の正面図である。
【図３】本発明の実施例１に係わる導光部材の円周方向の展開図である。
【図４】本発明の実施例１に係わる導光部材のもう一つの円周方向の展開図である。
【図５】本発明の実施例１に係わる発光装置の第１の発光領域を示す図である。
【図６】本発明の実施例１に係わる発光装置の第２の発光領域を示す図である。
【図７】本発明の実施例１に係わる発光装置の変形例を示す図である。
【図８】本発明の実施例１に係わる発光装置の変形例を示す図である。
【図９】本発明の実施例２に係わる導光部材の円周方向の展開図である。
【図１０】本発明の実施例２に係わる導光部材のもう一つの円周方向の展開図である。
【図１１】本発明の実施例２に係わる発光装置の第１の発光領域を示す図である。
【図１２】本発明の実施例２に係わる発光装置の第２の発光領域を示す図である。
【発明を実施するための形態】
【００１８】
以下、本発明の実施の形態について、詳細に説明する。
【００１９】
本発明は、撮像素子を備えたカメラのレンズ鏡筒部に取り付け可能な照明装置である。本発明の照明装置は、光源と第１と第２の光学部材から構成され、リング状発光部の全周を光らせる全周発光状態と、リング状発光部の一部を光らせる部分発光状態を切り替えることが可能である。
【００２０】
複数の光学部材は、リング状の発光部を形成した第１の光学部材と、全長が短く第１の光学部材の隙間に配置される第２の光学部材によって構成される。
【実施例１】
【００２１】
図１から図６には、本発明の実施例１である発光装置としてのマクロ撮影用リングライトアダプターを示している。このリングライトアダプターは、本実施例では、デジタルカメラ等の撮影機器における撮影レンズ鏡筒部の周囲に着脱可能に装着される。
【００２２】
図１は該リングライトアダプターを装着したデジタルカメラの斜視図、図２は同デジタルカメラの正面図である。
【００２３】
同図において、１１はカメラ本体であり、１２はカメラ本体１１の前面のほぼ中央に設けられた撮影レンズ鏡筒である。また、１３はカメラ本体１１の正面から向かって右側の上部に配置されたフラッシュ発光部である。
【００２４】
また、１４はレリーズボタン、１５は被写体の明るさを測定する測光ユニットの光取り込み窓、１６はファインダーの覗き窓である。
【００２５】
１は、撮影レンズ鏡筒１２に取り付け可能なリングライトアダプターである。リングライトアダプター１の内部には、定常光、すなわちフラッシュ光よりも長い時間の間、ほぼ一定の光量を発することができる高輝度の白色ＬＥＤが備えられている。また、白色ＬＥＤからの射出光を所定の照射角に集光させるための光学部材が備えられている。
【００２６】
リングライトアダプター１以外の各要素については、デジタルカメラの基本構成であり公知の技術であるため、詳しい説明は省略する。
【００２７】
上記構成のデジタルカメラ本体１１において、撮影モードが接写モードに設定され、周囲の明るさが所定の明るさ以下の場合には、白色ＬＥＤを光源とする接写用照明が行われる。
【００２８】
次に、図３、図４を用いて、本実施例のリングライト光学系の詳細形状について説明する。
【００２９】
図３、図４はリングライト光学系を展開して示した断面図であり、２は第１の光学部材、３は第２の光学部材、４，５は光源である白色ＬＥＤを示す。
【００３０】
また、図３には第１の光学部材２に光束を入射させた場合の光線トレース図を、図４には第２の光学部材３に光束を入射させた場合の光線トレース図をそれぞれ合わせて示している。
【００３１】
図３、図４において、第１の光学部材２は第１の白色ＬＥＤ４から射出した光束をリング状の射出光束に変換するため光学部材である。尚、同図では、便宜上、リング状発光部を切り離した状態で示しているが、それぞれの端面２ａ、２ｂはつながっており、連続的なリング形状となっている。第２の光学部材３は白色ＬＥＤ５から射出した光束をリング状発光部の一部を発光させるための光学部材である。
【００３２】
第１の光学部材２、及び、第２の光学部材３は、透光性の樹脂材料、例えば、アクリル樹脂やポリカーボネイト樹脂等の透過率の高い光学用樹脂材料により形成されている。
【００３３】
第１の光学部材２は、照射面側に面した射出面２ｃとその反対側に周方向に並んで形成された複数の光学部としての微小プリズム部２ｄとを有する。また、第１の光学部材２は、光束の進行方向において、光源に近い側が射出光軸方向での厚みが厚く、光源から離れるにしたがって徐々に厚みが薄くなるように形成されている。
【００３４】
一方、第２の光学部材３は、第１の光学部材２のリング状射出面２ｃとは反対側の面に位置すると共に、第１の光学部材の肉薄部に配置されている。また、第２の光学部材３も第１の光学部材と同様に、光源から離れるにつれて徐々に射出光軸方向の厚みが薄くなるように形成されている。さらに、その射出面３ａは平面であり、その反対面には複数の光学部としての微小プリズム部３ｂが形成されている。
【００３５】
次に、本実施例における微小プリズム部２ｄ、３ｂの好ましい形状について説明する。まず、各光学部材に形成された微小プリズム部２ｄ、３ｂの傾斜角度は、射出面２ｃ、３ａに対応する角度θが以下の角度範囲にあることが望ましい。
【００３６】
２５°≦θ≦５０°                ・・・（１）
これは、通常の照明光学系に使用される光学樹脂材料を用いた場合において、θが上限値である５０°を超えると、各プリズム反射面２ｄ、３ｂで反射する光束が極端に減少してしまったり、光学部材２、３に対して射出および入射する回数が増加してこれに伴う表面反射による光量ロスが極端に多くなったりして、望ましい光学系とならないためである。また、θが下限値である２５°より小さくなると、射出面２ｃから射出する光束が、射出面２ｃへの垂直方向に対して倒れすぎ、望ましい光学系とならないためである。本実施例では、上記角度範囲のほぼ中心値である４０°を採用している。
【００３７】
また、微小プリズム部２ｄ、３ｂのピッチ角度間隔（円周方向ピッチ）α°は、以下の範囲であることが望ましい。
【００３８】
０．５°≦α≦１５°          ・・・（２）
これは、αが下限値である０．５°より小さくなると、光学部材２、３の成形時において、プリズム反射面２ｄ、３ｂの根元頂点近傍についてしまうＲ面の影響が大きくなり、本実施例で望まれる方向変換機能である入射光束の角度による分離や全反射をうまく行えず、望ましい光学系とはならないからである。また、たとえこのような微細なプリズム反射面をＲ面が小さくなるように成形できたとしても、加工にかかる費用が極めて高価な光学部材となってしまい実用的ではない。
【００３９】
一方、αの上限値を１５°としているのは、以下の理由による。微細プリズム部２ｄ、３ｂにおける発光部は、上述したようにその稜線部に集中している。このことは、言い換えると、稜線部のピッチ間隔が広いと発光点が少なくなり、各発光点の発光強度が強く（発光量が大きく）なってしまうことを意味している。一方、マクロ撮影での理想的な照明光学系としては、各発光点における発光強度は少なく、多くの発光点を持つ方が特性的に優れている。このため、基本的にピッチ角度間隔は狭いほど良い。
【００４０】
また、別の理由として、このピッチ角度間隔が広くなると、微細プリズム部２ｄ、３ｂを構成する各プリズムの厚みが大きくなってしまうため、小型化の観点からも望ましくないからである。すなわち、光学部材の導光部はその厚みを可能な限り大きく形成することで、均一な配光特性を得る上で都合が良いが、微細プリズム部２ｄ、３ｂのプリズムの厚みが必要以上に厚くなることは、光学特性の明らかな改善はほとんどなく、大型化によるデメリットが大きい。
【００４１】
次に、リングライトアダプターを装着した時の発光部の発光領域を示したのが図５、図６である。
【００４２】
図５は、リング状発光部の全周から発光する状態を示す。また、図６は、リング状発光部の一部（デジタルカメラの上方部のみ）を発光させる状態をそれぞれ示している。
【００４３】
以下、図３〜図６を用いて、本発明の光学系と実際の発光動作を関連付けて詳細に説明する。
【００４４】
まず、リング状発光部の全周を発光させる状態について、光学系を説明する図３とこれに対応した発光状態を示す図５を用いて説明する。
【００４５】
図３に示すように、第１の白色ＬＥＤは、撮影レンズの光軸方向と同一方向に配置されており、同ＬＥＤ４から射出した光束は、照射角度範囲が狭い状態で射出される。これは、ＬＥＤ素子の先端形状が砲弾状になっており、この形状にすることで強い集光力が得られるためである。このように照射角度範囲を狭めることによって、後のリング状の発光部から均一な光束を射出させることができる。
【００４６】
第１の白色ＬＥＤ４から射出した光束は、第１の光学部材２の入射面２ｅから入射する。入射面２ｅから入射した光束は、反射面２ｆで反射した後、リング状の導光部に導かれ、周方向に並んで形成された複数の微小プリズム部２ｄによって全反射した後、射出面２ｃから射出する。このとき、図３の光線トレース図に示すように、射出後の光束は、撮影レンズ光軸の方向に近い成分として射出する。また、反射面２ｆ、及び、微小プリズム部２ｄでの反射は全反射によって行わせるため不要な光量のロスを最小限に抑えることができ、効率の良い光学系を構成することができる。また、反射面を構成するために高価な高反射率の金属蒸着部を必要とせず安価に構成できる。
【００４７】
この場合の発光部の状態をデジタルカメラ正面から見たのが図５である。図中、斜線部分で示した領域が発光領域を示す。このように第１の白色ＬＥＤ４の位置から射出した光束は、撮影レンズ鏡筒の全周にわたって発光部が存在し、この照明を受けた被写体は、背後に強い影ができず、均一な照明を行うことができる。このように照明光学系を構成し、白色ＬＥＤを配置することによって、被写体に対して背後の距離が近い状況のマクロ撮影において、最適な照明を提供することが可能になる。
【００４８】
次に、リング状発光部の部分的に発光させる状態について、図４とこれに対応する図６を用いて説明する。
【００４９】
第２の白色ＬＥＤ５から射出した光束は、第２の光学部材３の入射面３ｃから入射する。入射面３ｃから入射した光束は、反射３ｄで反射した後、円弧状の導光部によって導かれ、周方向に並んで形成された複数の微小プリズム部３ｂによって全反射した後、射出面３ａから射出する。さらに、射出面３ａから射出した光束は、第１の光学部材２の微小プリズム部２ｄから入射し屈折した後、射出面２ｃから射出される。このように、第２の光学部材３は、第１の光学部材２の微小プリズム部２ｄに沿うように配置されており、第２の光学部材３から射出された光束がそのまま第１の光学部材２に入射させるように、かつ、光学系のスペースも最小となるように配置されている。
【００５０】
図４に示すように、第２の光学部材に入射した光束は、第１の光学部材を介して射出され、射出後の光束は撮影レンズ光軸の方向に近い成分となる。このとき、反射面３ｄ、及び、微小プリズム部３ｂでの反射は全反射によって行われているため、不要な光量のロスを最小限に抑えることができ効率が良い。
【００５１】
また、第２の白色ＬＥＤ５から射出した光束は、第１の白色ＬＥＤ４から射出した光束に比べ狭い領域の中で発光させることが可能であり、リング状の一部分で、強い発光量を得ることができる。
【００５２】
この場合の発光部の状態をデジタルカメラ正面から見たのが図６である。
【００５３】
図示の第２の白色ＬＥＤ５から射出した光束は、図の斜線部で示したように、撮影レンズ鏡筒の上側に円弧状の発光部が形成する。この照明を受けた被写体は、背後にある程度はっきりした影を生じさせ、被写体に立体感を与える照明を行うことができ、被写体に対して立体感を与えたい状況のマクロ撮影に適した照明となる。
【００５４】
次に、リングライト光学系の光学部材と２つの光源と間の理想的な位置関係と、そのときの発光領域を関連付けて説明する。
【００５５】
図５，６に示すように、定常光を発する白色ＬＥＤ４、５の発光部は、撮影レンズ鏡筒部１２の斜め上方２箇所に配置している。向かって右上方に全周発光させるための白色ＬＥＤ４を、向かって左上方に部分発光を行わせるための白色ＬＥＤ５を配置している。
【００５６】
また、上記説明のように、斜線部分は発光部分を示しており、図５の状態はリング状発光部の全体が光っている状態を示し、図６の状態はリング状発光部の上側約１／４が発光している状態を示している。このように、リング状発光部の一部を発光させる場合には、デジタルカメラ１１の上方からの照射が自然であり、図６に示すような位置に発光部があることが望ましい。
【００５７】
本第１実施例では、図３に示す発光部を展開した状態において、リング状の第１の光学部材を時計回りに配置し、第１の光学部材の肉薄部が、デジタルカメラ本体１１の上部に来るように光学部材を配置する。この状態で図５に示す第１の白色ＬＥＤ４を発光させることで、図５に示すようにリング状発光部の全周で均一に発光させることができる。
【００５８】
一方、上記状態では、第２の光学部材も時計回りに配置され、第１の光学部材の肉薄部（デジタルカメラ１１の上部）に配置されることになる。この場合は、図４に示したように、第２の光学部材３によって方向変換された光束は、第１の光学部材の微小プリズム部で屈折した後、第１の光学部材の射出面２ｃから射出される。
【００５９】
このとき、発光部はリング状発光部の上部一部だけに限定されると共に、狭い領域から強度の強い発光を行わせることができる。
【００６０】
このように、発光させる発光ＬＥＤを切り替えることで、数少ないＬＥＤで、発光領域を簡単に切り替えることができる。
【００６１】
このとき、発光に係わるＬＥＤはそれぞれの状態で１個であるため、複数ＬＥＤを同時発光させた際に問題となるような色ムラは発生せず、均一な光学特性を持った照明を行うことができる。
【００６２】
尚、本実施例では、全周発光用の白色ＬＥＤ４をデジタルカメラ本体に対して右斜め上側に配置し、部分発光用の白色ＬＥＤ５をデジタルカメラ本体に対して左斜め上側に配置する構成を示したが、白色ＬＥＤの配置はこの組合せに限定されない。すなわち、第１、第２の光学部材の向きを反時計方向に配置することによって、各白色ＬＥＤの位置を反転させることも可能である。
【００６３】
また、本第１実施例では、光源として白色ＬＥＤを用いているが、必ずしも光源は白色ＬＥＤに限定されるわけではなく、照明可能な各種光源、例えば、ハロゲンランプやキセノン放電管等を用いても良い。
【００６４】
さらに、本実施例では、２つの白色ＬＥＤ４，５を撮影レンズ光軸方向と同一方向に向かうように配置された例を示したが、光源の配置は必ずしもこの方向に限定されず、第１の光学部材２の周方向、もしくは、円弧状の第２の光学部材へ周方向から直接入射させるように構成しても良い。この場合、反射面２ｅ、３ｄを介さず、直接微小プリズム部２ｄ、３ｂに導くことができるため、反射面２ｅ、３ｄの全反射の条件を満たす必要がなく、さらに効率良く光束を導くことができる。また、撮影レンズ光軸方向のスペースもさらに短く構成することができる可能性がある。
【００６５】
[実施例１の変形例] 
図７、図８に第１実施例の変形例を示す。
【００６６】
本実施例は、第１実施例で２つの白色ＬＥＤを用いていたのに対し、白色ＬＥＤ１個で全周発光と部分発光とを切り替えることができる構成を示している。
【００６７】
同図において、２４は撮影レンズ鏡筒の正面向かって斜め左上方に配置された白色ＬＥＤを示す。他の光学部材の構成等は第一実施例と同様なため省略する。
【００６８】
第１と第２の光学部材は、第１実施例に示した図３、もしくは、図４と同様に配置されている。ただ異なる点は、第１と第２の光学部材を不図示の部材で一体的に固定すると共に、撮影レンズ鏡筒の周りをレンズ光軸中心に回転させることができるように構成している点である。
【００６９】
この光源の位置を固定し２つの光学部材のみを回転させて移動させることにより、第１、及び、第２の光学部材の入射面位置を移動させることができる。この結果、白色ＬＥＤ２４の前に各光学部材の入射面を位置させ、全周発光と部分発光を簡単に切り替えることができる。
【００７０】
図７の状態は、リングライトアダプターの光学部材のみを反時計方向に回転させた状態を示しており、第１の光学部材の入射面２ｅが、白色ＬＥＤ２４の正面に来るように回転させた場合を示しており、この状態では、リング状の発光部の全周から発光させることができる。
【００７１】
一方、図８に示す状態は、図７の状態から、リングライトアダプターを時計方向に回転させた状態を示しており、この状態では、第２の光学部材の入射面３ｃが、白色ＬＥＤ２４の正面に来るように回転させた場合を示しており、この状態では、リング状の発光部の部分的な発光を行わせることができる。
【００７２】
このように構成することで、光源である白色ＬＥＤ２４を１個のみ使用する構成でも、全周発光と部分発光を容易に切り替えることが可能であり、安価に構成することができる。
【００７３】
尚、本実施例では、全周発光と１種類の部分発光について示したが、切り替えの位置は必ずしもこの２点に限定されるわけではなく、３つ以上の発光領域を切り替えるように構成しても良い。
【００７４】
さらに、本実施例では、光学部材２、３を、光学樹脂材料により形成した場合について説明したが、光学樹脂材料であれば、前述したアクリル樹脂やポリカーボネイト樹脂以外の材料を用いてもよく、また、ガラスモールドにより形成してもよい。また、第１の光学部材２と第２の光学部材３の材料を異ならせてもよい。
【実施例２】
【００７５】
図９から図１２には、本発明の実施例２である発光装置としてのマクロ撮影用リングライトアダプターを示している。このリングライトアダプターは、本実施例では、デジタルカメラ等の撮影機器における撮影レンズ鏡筒部の周囲に着脱可能に装着される。
【００７６】
図９、図１０は、リングライト光学系を展開して示した断面図であり、図１１、図１２は、リングライトアダプターを装着した時の発光部の発光領域を示している。
【００７７】
第１実施例との相違点は、第２の光学部材の移動方向が撮影レンズ光軸に対して回転させる方向ではなく、撮影レンズ光軸方向の前後方向に移動させて発光範囲を変えている点である。
【００７８】
図９の光学系の展開した断面図に示すように、本第２実施例では、第１実施例の第１の光学部材を２分割した構成をとっている。
【００７９】
図９、図１０において、３２は第１の光学部材、３３は第２の光学部材。３４は光源である白色ＬＥＤである。また、図９、図１０には第１の光学部材３２から光束を入射させた場合の光線トレース図を合わせて示している。
【００８０】
白色ＬＥＤ３４は、図１１、図１２に示すように、デジタルカメラ１１の撮影レンズ鏡筒の向かって左側に配置されている。
【００８１】
このような構成において、図９に示す状態は、第１の光学部材３２と第２の光学部材を密着させて一体的に使用した状態を示す。この場合には、第１実施例の第１の光学部材に白色ＬＥＤからの光束を入射させた状態とほぼ等価な光学系となり、図１１に示すように、リング状の発光部を全周から発光させることができる。
【００８２】
一方、図１０に示す状態は、第２の光学部材３３を撮影レンズ光軸に対して後方に移動させた状態を示している。この場合、第１の光学部材３２と第２の光学部材３３との境界面である３２ａから、光束が抜け出てしまい、リング状の発光部からは射出されない光束となってしまう。この結果、この境界面３２ａより後方にリング状の射出面に導く微小プリズム部が存在しないため、これより後方の部分からは光束を射出させることができない。
【００８３】
このような状態では、図１２に示すように、リング状の発光部の発光領域は、上側半分の領域となる。
【００８４】
このように、第１の光学部材を２分割し、光軸方向に移動させることによって、リング状の発光領域を容易に切り替えることができる。
【００８５】
このように、本第２実施例では、第２の光学部材のレンズ光軸方向への移動によって、本来導光されるべき光束を別の方向に逃がす構成を示したが、ここに示した構成のみに限定されない。例えば、第１の光学部材３２に形成された微小プリズムの全反射の機能を失わせるように機能させる構成でも良く、微小プリズムの背後から高屈折率の部材を圧接して光束を部分的に逃がすように構成しても良い。
【符号の説明】
【００８６】
１・・・リングライトアダプター
２、３２・・・第１の光学部材
３、３３・・・第２の光学部材
４，５、２４、３４、白色ＬＥＤ
１１・・・デジタルカメラ本体
１２・・・撮影レンズ鏡筒
【図１】
2012090218.tif 000003
【図２】
2012090218.tif 000004
【図３】
2012090218.tif 000005
【図４】
2012090218.tif 000006
【図５】
2012090218.tif 000007
【図６】
2012090218.tif 000008
【図７】
2012090218.tif 000009
【図８】
2012090218.tif 000010
【図９】
2012090218.tif 000011
【図１０】
2012090218.tif 000012
【図１１】
2012090218.tif 000013
【図１２】
2012090218.tif 000014